(57)【要約】【課題】  本発明は非常に安価で効率よく安全に鼻毛を除去することができる鼻毛カミソリを得るにある。【解決手段】  手で把持した状態で鼻の穴に挿入することができる、開口部を有するガイド部材と、前記ガイド部材に装着されガイド部材に沿って摺動あるいは回動することができる刃部と、前記刃部に設けられた柄とより鼻毛カミソリを構成している。【選択図】図１
2009172335.tif 000002
【特許請求の範囲】
【請求項１】
手で把持した状態で鼻の穴に挿入することができる、開口部を有するガイド部材と、前記ガイド部材に装着されガイド部材に沿って摺動あるいは回動することができる刃部と、前記刃部に設けられた柄からなることを特徴とする鼻毛カミソリ。
【発明の詳細な説明】
【技術分野】
【０００１】  本発明は安全に鼻毛を除去することができる鼻毛カミソリに関する。
【背景技術】
【０００２】  従来、刃を駆動モータによって回転させ、耳や鼻内の毛を切断するものや、刃にプロテクターを設けて鼻内で回転させ鼻毛を切断する技術が知られている。（特許文献１）【０００３】  しかしながら、電動式のものは多数の部品が使用されており価格も効果である。前記特許文献の毛のカット具は、刃とプロテクターが固定的に連結されているためプロテクター刃と一緒に動き効率よく鼻毛等を除去することができないという欠点があった。
また、従来の鼻毛カミソリは、カバーの開口部が小さく、少量の鼻毛しか刃まで到達できないうえ、鼻毛が寝てしまい効率よくカットすることができなかった。
【特許文献１】  特開２００５−２１１３５７
【発明の開示】
【発明が解決しようとする課題】
【０００４】  本発明は以上のような従来の欠点に鑑み、非常に安価で効率よく安全に鼻毛を除去することができる鼻毛カミソリを提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明は手で把持した状態で鼻の穴に挿入することができる、開口部を有するガイド部材と、前記ガイド部材に装着されガイド部材に沿って摺動あるいは回動することができる刃部と、前記刃部に設けられた柄とで鼻毛カミソリを構成している。
【発明の効果】
【０００７】  以上の説明から明らかなように、本発明にあっては次に列挙する効果が得られる。【０００８】（１）手で把持した状態で鼻の穴に挿入することができる、開口部を有するガイド部材と、前記ガイド部材に装着されガイド部材に沿って摺動あるいは回動することができる刃部と、前記刃部に設けられた柄とで鼻毛カミソリを構成しているので、ガイド部材と刃部を個別に動かすことができる。
したがって、ガイド部材によって鼻毛が寝てしまうことを防止することができ、鼻毛を効率よくカットすることができる。【０００９】（２）前記（１）により、部品点数が少なく、非常に安価かつ容易に製造することができる。
したがって、使い捨てで使用することもでき非常に衛生的に使用することができる。【００１０】（３）前記（１）により、鼻の内部を怪我することを防止することができ、誰にでも安全かつ容易に鼻毛をカットすることができる。
【発明を実施するための最良の形態】
【００１１】  以下、図面に示す本発明を実施するための最良の形態により、本発明を詳細に説明する。【００１２】  図１ないし図６に示す本発明を実施するための最良の第１の形態において、１は鼻内に挿入し鼻毛等を除去する鼻毛カミソリで、この鼻毛カミソリ１は手で把持することができる把持部２を有するガイド部材３と、前記ガイド部材３に装着した状態で回動させることができる刃部４と、刃部４の底面に一体に形成された棒状の柄５とより構成されている。【００１３】  ガイド部材３は図４に示すように、線材で円環状に形成された底面６と、底面６よりやや外径が小さく前記底面６と相似形に形成された上面７と、前記底面６と上面７を連結する対抗する位置に形成された線状の支柱８、８より構成されている。底面６および上面７の中心にはそれぞれ挿入孔９、１０が形成されている。底面６には中心部には断面が半円形状のパイプ１１が設けられていて、前記パイプ１１の先端部付近には、取っ手１２が形成されている。
なお、ガイド部材３はすべて一体に形成されていてもよいが、支柱８、８と上面７が着脱自在に係止されることが望ましい。【００１４】  刃部４は図５に示すように矩形状枠１３と、前記枠内に固定された刃本体１４と、前記枠の上部に一体に形成され、前記ガイド部材３の上面７に形成された挿入孔１０に挿入することができる突起１５と、枠の下部に一体に形成された前記ガイド部材３の底面６に形成された挿入孔９に挿入でき、前記パイプ１１よりも長く、パイプ１１の取っ手１２を通過する柄５より構成されている。
前記矩形枠１３は挿入孔９、１０に挿入された突起１５および柄５によってガイド部材３の円周の内側に沿うように回動する。
なお、刃本体１４には誤って鼻内を傷つけることがないように、ワイヤー等の安全装置１６を設けることが望ましい。【００１５】  本発明を使用するときには、図６に示すようにガイド部材３の把持部１２と刃部４の柄１６を手に持ちガイド部材３を鼻に挿入する。その後柄１６を手で回し刃部４を回転させる。ガイド部材３は上面７と底面６が２本の支柱８、８によって連結されているので、刃本体１４が露出する開口部１７が大きいため鼻毛を寝かせることなく刃本体１４で除去することができる。
［発明を実施するための異なる形態］【００１６】  次に、図７ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００１７】  図７ないし図１２に示す本発明を実施するための第２の形態において、前記本発明を実施するための最良の第１の形態と主に異なる点は、方形枠状で内側側面にガイド溝１８、１８を形成し、前記枠の下部から下方へ突出した把持部２Ａを有するガイド部材３Ａと、前記ガイド溝１８、１８に挿入でき、ガイド溝１８、１８に沿って摺動できるように凸部１９、１９を形成した刃部４Ａにした点で、このように構成した鼻毛カミソリ１Ａでも前記本発明を実施するための最良の第１の形態と同様な作用効果が得られる。
なお、前記凸部１９、１９の先端は、鼻の内部が傷つかないよう丸面取りされていることが望ましい。【００１８】  図１３および図１４に示す本発明を実施するための第３の形態において、前記本発明を実施するための第１の形態と主に異なる点は、刃本体１４が取り付けられている枠体２０で、刃本体１４の一部を覆い安全装置１６Ａを形成した刃部４Ｂにした点で、このように構成した鼻毛カミソリ１Ｂでも前記本発明を実施するための最良の第１の形態と同様な作用効果が得られる。
【産業上の利用可能性】
【００１９】  本発明は鼻毛カミソリを製造する産業で利用される。
【図面の簡単な説明】
【００２０】
【図１】本発明を実施するための最良の第１の形態の正面図。
【図２】本発明を実施するための最良の第１の形態の斜視図。
【図３】図１の３−３線に沿う断面図。
【図４】本発明を実施するための最良の第１の形態のガイド部材の説明図。
【図５】本発明を実施するための最良の第１の形態の刃部の説明図。
【図６】本発明を実施するための最良の第１の形態の使用状態の説明図。
【図７】本発明を実施するための第２の形態の正面図。
【図８】本発明を実施するための第２の形態の斜視図。
【図９】図７の９−９線に沿う断面図。
【図１０】本発明を実施するための第２の形態のガイド部材の説明図。
【図１１】本発明を実施するための第２の形態の刃部の説明図。
【図１２】本発明を実施するための第２の形態の使用状態の説明図。
【図１３】本発明を実施するための第３の形態の正面図。
【図１４】本発明を実施するための第３の形態の刃部の説明図。
【符号の説明】
【００２１】１、１Ａ、１Ｂ：鼻毛カミソリ
２：把持部、                  ３：ガイド部材、
４、４Ａ、４Ｂ：刃部、        ５：柄、
６：底面、                    ７：上面、
８：支柱、                    ９：挿入孔、
１０：挿入孔、                １１：パイプ、
１２：取っ手、                １３：矩形枠、
１４：刃本体、                １５：突起
１６、１６Ａ：安全装置        １７：開口部
１８：ガイド溝、              １９：凸部、
２０：枠体。
【図１】
2009172335.tif 000003
【図２】
2009172335.tif 000004
【図３】
2009172335.tif 000005
【図４】
2009172335.tif 000006
【図５】
2009172335.tif 000007
【図６】
2009172335.tif 000008
【図７】
2009172335.tif 000009
【図８】
2009172335.tif 000010
【図９】
2009172335.tif 000011
【図１０】
2009172335.tif 000012
【図１１】
2009172335.tif 000013
【図１２】
2009172335.tif 000014
【図１３】
2009172335.tif 000015
【図１４】
2009172335.tif 000016